(57)【要約】【課題】連続性のある滑らかな画像が得られる透過式のスクリーンおよび当該スクリーンを備えた薄型のリアプロジェクタを提供すること。【解決手段】反射プリズム１の反射面Ｒｅで反射され反転された部分投写光は、反転部であるレンズ３により再度反転されることから、当該部分投写光が表す部分画像は、反射面Ｒｅに入射する前の正方向の部分画像として表示面Ｓｆに写し出される。これにより複数の反射面Ｒｅにより画像が分断されても、反射面Ｒｅとレンズ３とによる２回の画像反転により、部分画像は正方向に整えられることから、連続する部分画像間に異なる画像が入り込むことはない。【選択図】図３
2007163832.tif 000002
【特許請求の範囲】
【請求項１】
投写装置からの投写光が入射される背面と、前記投写光による画像が写し出される表示面とを含んで構成される透過式のスクリーンであって、
前記投写光を前記表示面側へ反射する前記背面に設けられた複数の反射部と、
前記反射部により反射され反転された部分投写光を再度反転させる前記複数の反射部ごとに対として設けられた反転部とを、備えることを特徴とするスクリーン。
【請求項２】
複数の前記反射部は、それぞれが前記投写光が入射される入射面と、入射した投写光を前記表示面に向かって全反射する反射面とを有する反射プリズムであり、
対となる前記反転部は、それぞれの前記反射プリズムと、前記表示面との間に設けられたレンズであることを特徴とする請求項１に記載のスクリーン。
【請求項３】
複数の前記反射部は、それぞれが前記投写光が入射される入射面と、入射した投写光を前記表示面側へ全反射する第１反射面とを有する反射プリズムであり、
対となる前記反転部は、前記反射面が反射した部分投写光を前記表示面へ向かって全反射する第２反射面であることを特徴とする請求項１に記載のスクリーン。
【請求項４】
前記反射プリズムは、前記入射面および前記第１反射面に加えて、前記第２反射面を有することを特徴とする請求項３に記載のスクリーン。
【請求項５】
前記入射面は、曲面を含んで構成されることを特徴とする請求項３または４に記載のスクリーン。
【請求項６】
前記第１反射面および第２反射面において、
前記いずれか一方の反射面、または双方の反射面は、曲面を含んで構成されることを特徴とする請求項３〜５のいずれか一項に記載のスクリーン。
【請求項７】
複数の前記反転部と、前記表示面との間には、前記表示面から入射する外光を遮断し、前記部分投写光を通過させる複数の開口部を有する遮光マスクである遮光板がさらに設けられていることを特徴とする請求項１〜６のいずれか一項に記載のスクリーン。
【請求項８】
前記遮光板の前記表示面側には、前記表示面を構成する平面板であり、前記遮光板の開口部から出射される投写光を拡散する拡散板が設けられていることを特徴とする請求項７に記載のスクリーン。
【請求項９】
請求項１〜８のいずれか一項に記載のスクリーンと、
画像を表す投写光を出射する投写装置と、
前記投写光を反射して前記スクリーンの背面に入射させるミラー部と、を備え、
前記投写光の略中心である光軸と、前記スクリーン面からの垂線とが成す角度である入射角度が、所定の鋭角をなしていることを特徴とする背面投写型表示装置。
【請求項１０】
前記投写装置は、光を発生する光源部と、前記光源部が発した光を画像信号に応じて変調して画像を表す変調光を生成する光変調素子と、前記光変調素子により生成された変調光を拡大し前記投写光として出射する投写部とを備え、
前記光変調素子は、透過型液晶パネル、または反射型液晶パネル、若しくはティルト反射ミラーデバイス、若しくはレーザー走査光学素子、若しくは自発式光変調素子アレーのいずれかであることを特徴とする請求項９に記載の背面投写型表示装置。
【発明の詳細な説明】
【技術分野】
【０００１】
本発明は、透過式のスクリーンおよび当該スクリーンを備えた背面投写型表示装置に関する。
【背景技術】
【０００２】
透過式のスクリーンは、背面から入射される投写光による画像を当該スクリーン正面の表示面に写し出す。このような透過式スクリーンは、一つの個体内にスクリーンと、投写光を投写する投写装置とを備えた背面投写型表示装置（以下、「リアプロジェクタ」ともいう）に多く用いられている。
【０００３】
図１０は、従来のリアプロジェクタの概略構成を示す側断面図である。
従来のリアプロジェクタ３００は、投写装置３１と、当該投写装置から出射される投写光Ｌを反射するミラー３２と、ミラー３２により反射された投写光Ｌが入射する透過式のスクリーン３３などから構成されていた。
投写光Ｌは、光軸Ｌｃを略中心とした画像を表す光束であり、ミラー３２で反射した後、スクリーン３３面からの垂線に対して、光軸Ｌｃが入射角度θをなしてスクリーン３３の背面Ｓｂに入射し、表示面Ｓｆに画像を写し出す。
このような従来のリアプロジェクタは、投写光の拡大率を調整することにより容易に大画面が得られるという特長を有している反面、スクリーンに対して略垂直（入射角度θ≒０°）に投写光を入射させていたため、反射ミラーなどの光学系により奥行きＴｈが長くなってしまい薄型化が困難であるという問題点を有していた。
【０００４】
図１１は、従来の透過式スクリーンの中心部近傍における拡大断面図である。
前記問題を解決するために、特許文献１〜３のような透過式スクリーンが提案されている。スクリーン２０は、スクリーン２０の背面Ｓｂに複数の反射プリズムを設けることにより、投写光Ｌのスクリーンへの入射角度θを大きくしている。
具体的には、反射プリズム２１は、透明な平面である入射面Ｉｎと、全反射面である反射面Ｒｅとを備えており、入射面Ｉｎから入射した投写光Ｌは、反射面Ｒｅにより、スクリーン２０の表示面Ｓｆ側に反射される。なお、図１１は、スクリーンの略中心部の断面であるため、投写光Ｌは、入射面Ｉｎに略垂直に入射するものとして説明している。
これにより、投写光Ｌの入射角度θが大きくても、スクリーン２０の表示面Ｓｆに画像を写し出すことを可能にしていた。
また、図１０の投写装置３１は、光源であるランプと、当該ランプが発する略白色光を画像を表す変調光に変調するための光変調素子と、変調光を拡大して投写光として出射する投写レンズ（いずれも図示せず）とを含んで構成されている。ここで、投写光Ｌは、光変調素子の格子状をなした複数の画素により変調された変調光による画像を拡大したものであるため、例えば、図１１の画素ａ、ｂのように、各画素に対応した複数の画像を表す光の束として捕らえることができる。
【０００５】
【特許文献１】特開昭５７−１０９４８１号公報
【特許文献２】特開昭６０−１７３５３３号公報
【特許文献３】特開平６−２７５３５号公報
【発明の開示】
【発明が解決しようとする課題】
【０００６】
しかしながら、特許文献１〜３に示されるような従来のスクリーン２０では、１画素に相当する画像が２つの反射プリズム２１に跨った場合、２つの反射面Ｒｅにより反射され分断された画像の間に、隣接する画素の画像が交じってしまうという問題があった。
例えば、図１１における画素ａの場合、画素ａの画像は、画像ａ１と、画像ａ２とに分割されて、それぞれの対応する反射面Ｒｅで反射してスクリーン２０の表示面Ｓｆに投写画像を形成しているが、画像ａ１と、画像ａ２との間には、画素ｂの画像ｂ１が入り込んでしまっている。これは、反射面Ｒｅによる反射により、画像の天地が反転されるために生じており、画像ａ２と同一の反射面Ｒｅにより反射された画像ｂ１が、画像ａ２の下に来ることに起因している。
さらに、この現象は、画素ａ，ｂのみに限定されるものではなく、スクリーン２０に入射する投写光Ｌを構成する全ての画素において発生する恐れがあった。
このように、従来のスクリーン２０に表示される画像は、連続性が乏しいため見辛く、解像度が落ちたものになってしまうという問題点があった。
【０００７】
上記課題を解決するために、本発明では、連続性のある滑らかな画像が得られる透過式のスクリーンおよび当該スクリーンを備えた薄型のリアプロジェクタを提供することを目的とする。
【課題を解決するための手段】
【０００８】
前記目的を達成するために、本発明のスクリーンによれば、投写装置からの投写光が入射される背面と、投写光による画像が写し出される表示面とを含んで構成される透過式のスクリーンであって、投写光を表示面側へ反射する背面に設けられた複数の反射部と、反射部により反射され反転された部分投写光を再度反転させる複数の反射部ごとに対として設けられた反転部とを、備えることを特徴とする。
【０００９】
この構成によれば、反射された部分投写光は、反転部により再度反転されることから、当該部分投写光が表す部分画像は、反射部に入射する前の正方向の部分画像として表示面に写し出される。
よって、反射面による１回のみの反射に起因する連続した部分画像間に異なる画像が入り込んでしまう従来のスクリーンと異なり、本発明のスクリーンによれば、複数の反射面により画像が分断されても、反射面と反転部とによる２回の画像反転により、部分画像は正方向に整えられることから、連続する部分画像間に異なる画像が入り込むことはない。
従って、本発明によれば、連続性のある滑らかな画像が得られる透過式のスクリーンを提供することができる。
【００１０】
本発明に係るスクリーンによれば、複数の反射部は、それぞれが投写光が入射される入射面と、入射した投写光を表示面に向かって全反射する反射面とを有する反射プリズムであり、対となる反転部は、それぞれの反射プリズムと、表示面との間に設けられたレンズであることが好ましい。
【００１１】
この構成によれば、反転部は、それぞれ対となる反射プリズムと表示面との間に設けられたレンズであることから、反射プリズムの反射面による反射で反転した部分投写光は、レンズの屈折により再度反転され、正方向の部分画像として表示面に写し出される。
従って、本発明によれば、連続性のある滑らかな画像が得られる透過式のスクリーンを提供することができる。
【００１２】
本発明に係るスクリーンによれば、複数の反射部は、それぞれが投写光が入射される入射面と、入射した投写光を表示面側へ全反射する第１反射面とを有する反射プリズムであり、対となる反転部は、反射面が反射した部分投写光を表示面へ向かって全反射する第２反射面であることが好ましい。
【００１３】
この構成によれば、反転部は、反射面が反射した部分投写光を表示面へ向かって反射する第２反射面であることから、反射プリズムの第１反射面による反射で反転した部分投写光は、第２反射面により再度反射され、正方向の部分画像として表示面に写し出される。
従って、本発明によれば、連続性のある滑らかな画像が得られる透過式のスクリーンを提供することができる。
【００１４】
本発明に係るスクリーンによれば、反射プリズムは、入射面および第１反射面に加えて、第２反射面を有することが好ましい。
【００１５】
この構成によれば、反射プリズムは、入射面および第１反射面に加えて、第２反射面を有することから、反射部および反転部は一体の反射プリズムとして構成されている。
よって、スクリーンをシンプルに構成することができる。
従って、本発明によれば、シンプルな構成により連続性のある滑らかな画像が得られる透過式スクリーンを提供することができる。
【００１６】
本発明に係るスクリーンによれば、入射面は、曲面を含んで構成されることが好ましい。
【００１７】
この構成によれば、入射面は、曲面を含んで構成されることから、曲面の曲率を調整することにより部分投写光を集光または拡散することができる。
よって、所望の表示面の明るさおよび視野角を得ることができる。
従って、本発明によれば、明るく見易い画像を写し出す透過式スクリーンを提供することができる。
【００１８】
本発明に係るスクリーンによれば、第１反射面および第２反射面において、いずれか一方の反射面、または双方の反射面は、曲面を含んで構成されることが好ましい。
【００１９】
この構成によれば、第１反射面および第２反射面のいずれか一方の反射面、または双方の反射面は、曲面を含んで構成されることから、曲面の曲率を調整することにより部分投写光を集光または拡散することができる。
よって、所望の表示面の明るさおよび視野角を得ることができる。
従って、本発明によれば、明るく見易い画像を写し出す透過式スクリーンを提供することができる。
【００２０】
本発明に係るスクリーンによれば、複数の反転部と、表示面との間には、表示面から入射する外光を遮断し、部分投写光を通過させる複数の開口部を有する遮光マスクである遮光板がさらに設けられていることが好ましい。
【００２１】
この構成によれば、複数の反転部と、表示面との間には、表示面から入射する外光を遮断し、部分投写光を通過させる複数の開口部を有する遮光マスクである遮光板がさらに設けられていることから、スクリーンの表示面から入射する外光は遮光板により吸収され、コントラストの低下を抑制することができる。
従って、本発明によれば、メリハリのあるくっきりとした画像が得られる透過式のスクリーンを提供することができる。
【００２２】
本発明に係るスクリーンによれば、遮光板の表示面側には、表示面を構成する平面板であり、遮光板の開口部から出射される投写光を拡散する拡散板が設けられていることが好ましい。
【００２３】
この構成によれば、遮光板の表示面側には、表示面を構成する平面板であり、遮光板の開口部から出射される投写光を拡散する拡散板が設けられていることから、反転部のレンズにより集光された部分投写光が、それぞれ拡散板により拡散され、連続性があり明るさが均一な画像が表示面に写し出される。
従って、本発明によれば、連続性のある滑らかな画像が得られる透過式のスクリーンを提供することができる。
【００２４】
前記目的を達成するために、本発明の背面投写型表示装置によれば、前記記載のスクリーンと、画像を表す投写光を出射する投写装置と、投写光を反射してスクリーンの背面に入射させるミラー部と、を備え、投写光の略中心である光軸と、スクリーン面からの垂線とが成す角度である入射角度が、所定の鋭角をなしていることを特徴とする。
【００２５】
この構成によれば、投写光の略中心である光軸と、スクリーン面からの垂線とが成す角度である入射角度が、所定の鋭角をなしていることから、入射角度が略「０°」であった従来の背面投写型表示装置に比べて、背面投写型表示装置を薄く構成することができる。
さらに、本発明の背面投写型表示装置は、投写光の入射角度が直角より小さい所定の角度であっても連続性のある滑らかな画像が得られる透過式のスクリーンを備えている。
従って、本発明によれば、連続性のある滑らかな画像が得られる薄型の背面投写型表示装置を提供することができる。
【００２６】
本発明に係る背面投写型表示装置によれば、投写装置は、光を発生する光源部と、光源部が発した光を画像信号に応じて変調して画像を表す変調光を生成する光変調素子と、光変調素子により生成された変調光を拡大し投写光として出射する投写部とを備え、光変調素子は、透過型液晶パネル、または反射型液晶パネル、若しくはティルト反射ミラーデバイス、若しくはレーザー走査光学素子、若しくは自発式光変調素子アレーのいずれかであることが好ましい。
【００２７】
画像信号に応じた変調光を拡大して投写する投写装置には、変調光を生成する光変調素子として、透過型液晶パネル、または反射型液晶パネル、若しくはティルト反射ミラーデバイス、若しくはレーザー走査光学素子、若しくは自発式光変調素子アレーが多く用いられている。これは、これらの光変調素子を用いることにより、光源装置が発する光を、効率良く画像を表す変調光に変換できるからである。
この構成によれば、投写装置は、透過型液晶パネル、または反射型液晶パネル、若しくはティルト反射ミラーデバイス、若しくはレーザー走査光学素子、若しくは自発式光変調素子アレーのいずれかの光変調素子を備えることから、光源部が発する光を、効率良く画像を表す変調光に変換することができる。
よって、鮮やかな投写画像を得ることができる。
従って、鮮やかな投写画像が得られる背面投写型表示装置を提供することができる。
【発明を実施するための最良の形態】
【００２８】
以下、添付図面に基づいて、本発明の実施形態を詳細に説明する。
【００２９】
（実施形態１）
《リアプロジェクタの概要》
図１は、本発明の実施形態におけるリアプロジェクタの概略構成図である。
背面投写型表示装置であるリアプロジェクタ１００は、内蔵する投写装置１１から出射される画像を表す投写光Ｌを拡大し、備え付けられている透過式のスクリーン１３に画像を写し出す。
リアプロジェクタ１００は、投写装置１１、スクリーン１３に加えて、ミラー１２などを含んで構成されている。
ミラー１２は、スクリーン１３と略平行に設けられた略平坦な平面鏡であり、投写装置１１が放射する投写光Ｌを全反射し、スクリーン１３の背面Ｓｂに入射させる。ミラー１２は、アクリル樹脂などの硬質合成樹脂の表面にアルミニウムや、誘電体多層膜層等の高反射性の薄膜層を形成することにより構成されている。
なお、ミラー１２は、投写光Ｌをスクリーンに入射させることができれば良く、スクリーン１３と略平行に設けられることに限定するものではない。また、例えば、複数枚による構成であっても良いし、曲面鏡であっても良い。
ミラー１２により全反射された投写光Ｌは、スクリーン１３の背面Ｓｂに入射され、スクリーン１３の表示面Ｓｆに画像を写し出す。なお、ここで投写光Ｌは、投写光Ｌの略中心である光軸Ｌｃと、スクリーン１３からの垂線とが成す角度である入射角度θが所定の鋭角となるように入射されている。なお、所定の鋭角とは、直角より小さい角度のことであり、具体的な所定の鋭角としての入射角度θは、５０〜８０°が好適である。
【００３０】
《投写装置の概要》
図２は、投写装置の光学部を中心とした概略構成図である。
投写装置１１は、光源であるランプ５１が放射した光Ｗを、赤色光Ｒ、緑色光Ｇ、青色光Ｂの光３原色成分に分離し、色光ごとに光変調素子としての各色光用の液晶ライトバルブ６５Ｒ，６５Ｇ，６５Ｂにより画像信号に応じて変調し、再度合成したフルカラーの変調光を投写レンズ６８によりに拡大投写する、いわゆる「液晶３板式プロジェクタ」である。
投写装置１１は、光学部５０と、回路部７０などから構成されている。
また、ランプ５１は、高圧水銀ランプや、メタルハライドランプ、およびハロゲンランプなどの高輝度が得られるランプである。
【００３１】
《光学部の概要》
光学部５０は、前述したランプ５１、液晶ライトバルブ６５Ｒ，６５Ｇ，６５Ｂ、投写レンズ６８に加えて、インテグレータ５２、偏光変換素子５３、反射ミラー５４，５６，５９，６１，６７、赤色光透過ダイクロイック反射ミラー５５、青色光透過ダイクロイック反射ミラー５７、リレーレンズ５８，６０、クロスダイクロイックプリズム６６などから構成されている。
インテグレータ５２は、照明光軸方向から見て略矩形形状の輪郭を有する小レンズがマトリクス状に配列された光学系を向かい合わせた構成を有し、ランプ５１からの光Ｗの照度分布を略均一にする。また、同様に照度分布を均一にする機能を持つロットインテグレータを用いる構成であっても良い。
偏光変換素子５３は、インテグレータ５２により照度分布が均一化された２種類の偏光成分からなる光を、液晶ライトバルブ６５Ｒ，６５Ｇ，６５Ｂにて変調可能な一種類の偏光光に変換する光学素子である。これにより、光の利用効率を高めている。
【００３２】
反射ミラー５４は、偏光変換素子５３により一種類の偏光光に変換された光Ｗを、赤色光透過ダイクロイックミラー５５側に反射する。
赤色光透過ダイクロイックミラー５５は、緑色光Ｇと青色光Ｂとを反射し赤色光Ｒを透過する誘電体多層膜を備えた光学素子であり、赤色光Ｒを透過させ、緑色光Ｇおよび青色光Ｂを青色光透過ダイクロイックミラー５７側に反射する。
反射ミラー５６は、赤色光透過ダイクロイックミラー５５を透過した赤色光Ｒを反射し液晶ライトバルブ６５Ｒに入射させる。
青色光透過ダイクロイックミラー５７は、青色光Ｂを透過し緑色光Ｇを反射する誘電体多層膜を備えた光学素子であり、青色光Ｂを透過させ、緑色光Ｇを反射する。反射された緑色光Ｇは、液晶ライトバルブ６５Ｇに入射する。
【００３３】
青色光透過ダイクロイックミラー５７を透過した青色光Ｂは、リレーレンズ５８を介して反射ミラー５９にて反射され、さらにリレーレンズ６０を介して反射ミラー６１にて反射された後、液晶ライトバルブ６５Ｂに入射する。
なお、リレーレンズ５８，６０は、光量の減衰を防ぐ作用を有しており、赤色光Ｒ及び緑色光Ｇの光路よりも長い光路を通過する青色光Ｂの減衰を防いでいる。
クロスダイクロイックプリズム６６は、略Ｘ字状に設けられた２つのクロスダイクロイック膜６６ａ，６６ｂにより、３つの液晶ライトバルブ６５Ｒ，６５Ｇ，６５Ｂから出射される色光ごとの画像を表す変調光を合成してフルカラー画像を表す変調光を出射する。
なお、クロスダイクロイック膜６６ａは、赤色光Ｒを反射し、緑色光Ｇおよび青色光Ｂを透過させる誘電体多層膜であり、クロスダイクロイック膜６６ｂは、青色光Ｂを反射し、赤色光Ｒおよび緑色光Ｇを透過させる誘電体多層膜である。
【００３４】
反射ミラー６７は、クロスダイクロイックプリズム６６によって合成された変調光を投写レンズ６８側に反射する。
投写部としての投写レンズ６８は、複数のレンズから構成されており、変調光を広角した投写光を投写装置１１の上面側に出射する。出射された投写光は、図１の反射ミラー１２に入射する。なお、反射ミラー６７は、投写レンズ６８内に設けられていても良い。
なお、固有の解像度に応じた複数の画素を有している液晶ライトバルブ６５Ｒ，６５Ｇ，６５Ｂにより変調された変調光、および変調光を拡大した投写光は、複数の画素それぞれの画像を表す部分投写光の集まった光束として捕らえることができる。例えば、解像度ＸＧＡ（1024×768）であれば、786,432画素相当、解像度ＳＸＧＡ（1280×1024）であれば、1,310,720画素に相当する部分投写光が集まった光束として捕らえることができる。
【００３５】
《回路部の概要》
続いて、投写装置１１の回路部７０の概要について説明する。
回路部７０には、リアプロジェクタ１００の各部に電力を供給する電源部、入力される画像を表す画像信号に複数の画像処理を施すことにより液晶ライトバルブ６５Ｒ，６５Ｇ，６５Ｂで表示するのに適した画像信号を生成する画像処理部、画像処理部にて生成された画像信号により各液晶ライトバルブを駆動する液晶ドライバ、前記各部およびリアプロジェクタ１００全体の機能を制御する制御部（いずれも図示せず）などが含まれている。
また、画像処理部による画像処理には、画像の画面形状を変えずに解像度を調整するスケーリング機能に加えて、スクリーンへの投写光の入射角度が大きい（「あおり角」ともいう）ことに起因する投写画像の台形歪みを補正するための台形補正処理なども含まれている。
【００３６】
《第１のスクリーンの概略構成》
図３は、本発明の実施形態における第１のスクリーンの中心部近傍の拡大断面図である。なお、図１１における従来のスクリーン２０との比較のため、同様の構成部位については同一の番号を附して説明する。
第１のスクリーン１３は、複数の反射プリズム１と、対として設けられた反転部としてのレンズ３、および集光レンズ４と、拡散板Ｄｉｆ、遮光板Ｓｈなどから構成されている。
【００３７】
反射部としての反射プリズム１は、入射面Ｉｎと、反射部である反射面Ｒｅとを備えている。
入射面Ｉｎは、投写光Ｌに対して略垂直に設けられた平面であり、入射される投写光Ｌを反射面Ｒｅに導く。
反射面Ｒｅは、入射面Ｉｎから入射された投写光Ｌが臨界角を越えるように設定された平面であり、入射される投写光Ｌをレンズ３側に反射する。また、アルミニウムや、誘電体多層膜等の高反射性の薄膜層を設けることにより全反射面とする構成であっても良い。
レンズ３は、反射プリズム１と一体に設けられたシリンドリカルレンズであり、反射面Ｒｅにより反射された投写光Ｌを界面で屈折させて集光レンズ４側に出射する。なお、レンズ３は、シリンドリカルレンズであるため、反射面Ｒｅでの反射により反転された部分画像を表す部分投写光を１次元の屈折作用により正方向の部分画像に戻す作用を有する。
また、複数の反射プリズム１およびレンズ３は、プリズムアレイ５として一体として構成されている。
プリズムアレイ５の材質は、例えば、光学特性および成型加工性に優れたアクリル樹脂を用いている。なお、アクリル樹脂に限定するものではなく、光学用の透明合成樹脂であれば、ポリカーボネート樹脂、オレフィン系樹脂、スチレン系樹脂であっても良い。これらの合成樹脂を、押出し成型、加熱プレス、または射出成型することによりプリズムアレイ５を形成することができる。
【００３８】
ここで、反射面Ｒｅから拡散板Ｄｉｆの間における連続する画素ａ，画素ｂが表す画像の態様について説明する。
画素ａが表す画像は、画像ａ１と、画像ａ２とに分割されて、それぞれの対応する反射面Ｒｅで反射される。このとき、画像ａ２は、隣接する画素ｂの画像ｂ１と一緒に反射されるため、反射面Ｒｅで反射された後の画像は反転され、上方に画像ａ２、下方に画像ｂ１という順番となっている。
上方に画像ａ２、下方に画像ｂ１という順番となった部分投写光は、レンズ３の屈折により再度反転されて集光レンズ４に入射する。
集光レンズ４は、シリンドリカルレンズであり、拡大しようとするレンズ３からの部分投写光を集光し、表示面Ｓｆに対して略垂直な光束として出射する。また、複数の集光レンズ４は、プリズムアレイ５と同様な光学用の透明合成樹脂を材料とし、一体のシート状の集光レンズアレイ６として構成されている。
表示面Ｓｆを構成する拡散板Ｄｉｆは、アクリル樹脂などの透明基材に光拡散剤を一様に分散して構成されたシート状の部材であり、集光レンズ４から入射される部分投写光を表示面Ｓｆの一定の範囲に拡散させる。なお、部分投写光が拡散される一定の範囲は、表示面Ｓｆに表示される画像における当該部分投写光に相当する画素に応じた大きさ程度である。
【００３９】
このようにして表示面Ｓｆに表示される画像は、下方から画像ａ１、画像ａ２、画像ｂ１、画像ｂ２となり、背面Ｓｂに入射する前の部分投写光の順番通りの連続した画像となる。
また、プリズムアレイ５と、集光レンズアレイ６との間には、複数の部分投写光が通過する部分を開口部とした遮光板Ｓｈが設けられている。遮光板Ｓｈは、全黒の遮光マスクであり、表示面Ｓｆから入射される外光を吸収する。
なお、プリズムアレイ５の平面形状については、スクリーン１３を正視したときに、プリズムアレイ５により、スクリーン１３の略中心を同心円の中心としたサーキュラーフレネルレンズが構成されることが好ましい。または、サーキュラーフレネルレンズの屈折作用を水平および垂直方向に分解した作用を有する水平および垂直リニアフレネルレンズが構成されても良い。この場合、レンズ３および集光レンズ４は、プリズムアレイ５の平面形状に沿って設けられる。
【００４０】
《異なる態様のスクリーンの概略構成》
図４は、本発明の実施形態における第１のスクリーンの異なる態様の中心部近傍の拡大断面図である。なお、スクリーン１３と同一の構成部位については同一の番号を附し、重複する説明は省略する。
ここでは、図４を中心に適宜図３を交えながらスクリーン１３を簡略化した構成を有するスクリーン１４について説明する。
スクリーン１４は、スクリーン１３の構成から、集光レンズ４を含む集光レンズアレイ６を省略したスクリーンである。
スクリーン１４は、複数の反射プリズム１と、対として設けられた反転部としてのレンズ３、および拡散層としての拡散板Ｄｉｆ、遮光板Ｓｈなどから構成されている。
【００４１】
反射部である反射プリズム１と、シリンドリカルレンズであるレンズ３とは、スクリーン１３での説明と同様であり、一体のプリズムアレイ５として構成されている。
拡散板Ｄｉｆも、第１のスクリーン１３での説明と同様の拡散板である。
遮光板Ｓｈも、第１のスクリーン１３での説明と同様の構成を有しているが、プリズムアレイ５と、拡散板Ｄｉｆの間に設けられている。
【００４２】
ここで、反射面Ｒｅから拡散板Ｄｉｆの間における連続する画素ａ，画素ｂが表す画像の態様について説明する。
画素ａが表す画像は、画像ａ１と、画像ａ２とに分割されて、それぞれの対応する反射面Ｒｅで反射される。このとき、画像ａ２は、隣接する画素ｂの画像ｂ１と一緒に反射されるため、反射面Ｒｅで反射された後の画像は反転され、上方に画像ａ２、下方に画像ｂ１という順番となっている。
上方に画像ａ２、下方に画像ｂ１という順番となった部分投写光は、レンズ３の屈折により再度反転されて拡散板Ｄｉｆに入射する。
なお、拡散板Ｄｉｆは、レンズ３から出射される部分投写光の大きさが、反射面Ｒｅからレンズ３に入射したときと略同じ大きさに拡大されたときに入射する位置に設置されている。このため、部分投写光は、さらに拡大する前に、拡散板Ｄｉｆにおいて拡散され、表示面Ｓｆに画像を写し出す。
このようにして表示面Ｓｆに表示される画像は、下方から画像ａ１、画像ａ２、画像ｂ１、画像ｂ２となり、背面Ｓｂに入射する前の部分投写光の順番通りの連続した画像となる。
【００４３】
《視覚依存性の調整態様》
図５（ａ）は、本発明のスクリーンにおける第１の明視方向態様の説明図である。図５（ｂ）は、本発明のスクリーンにおける第２の明視方向態様の説明図である。
ここでは、図５（ａ），（ｂ）を中心に、適宜図３を用いて、スクリーン１３における明視方向態様について説明する。
【００４４】
図３のスクリーン１３の説明において、投写光Ｌは、反射プリズム１の入射面Ｉｎに略垂直に入射するものとして説明したが、これに限定するものではない。
図５（ａ）のスクリーン１３の略中央部においては、図３で説明したように投写光Ｌを反射プリズム１の入射面Ｉｎに略垂直に入射させることにより、スクリーン１３面に対して略垂直に部分投写光を入射させている。このことと、拡散板Ｄｉｆの拡散剤の配合度合により、スクリーン１３の中央部における部分投写光は、拡散範囲Ｃｅｎに示されるようにスクリーンの上下方向（ｙ軸方向）よりも、前面（ｚ軸マイナス方向）に大きく拡散される。
【００４５】
また、スクリーン１３に向かい合う方向に居る観察者Ｍの視覚依存性を考慮し、スクリーン１３の上部においては、部分投写光を拡散範囲Ｃｅｎと同様にスクリーンの上下方向よりも前面に大きく拡散させるとともに、若干下方（ｙ軸マイナス方向）に向けて拡散させることが好ましい。
また、スクリーン１３の上部における投写光の入射角度は、投写光Ｌが放射しながら入射するため、スクリーン中央部での入射角度θよりも大きい角度となっている。
このため、スクリーン１３の上部においては、入射面Ｉｎおよび反射面Ｒｅの角度調整を行うことにより、入射角度θよりも大きい角度で入射される部分投写光を、拡散範囲Ｔｏｐに示されるような範囲に拡散している。
【００４６】
同様にスクリーン１３の下部においては、部分投写光を拡散範囲Ｃｅｎと同様にスクリーンの上下方向よりも前面に大きく拡散させるとともに、若干上方（ｙ軸プラス方向）に向けて拡散させることが好ましい。
また、スクリーン１３の下部における投写光の入射角度は、投写光Ｌが放射しながら入射するため、スクリーン中央部での入射角度θよりも小さい角度となっている。
このため、スクリーン１３の下部においては、入射面Ｉｎおよび反射面Ｒｅの角度調整を行うことにより、入射角度θよりも小さい角度で入射される部分投写光を、拡散範囲Ｄｏｗに示されるような範囲に拡散している。
また、ここでは、スクリーン１３における、上部、中央部、下部について説明したが、その他の部位においても同様にスクリーンの上下方向よりも前面に大きく拡散範囲させるとともに、拡散分布の全体ベクトルの方向が、例えば、スクリーン１３から４〜７ｍ位の位置に正対する観察者Ｍの視点の方向を向くように調整される。
なお、詳細な説明は省略するがスクリーン１３の左右方向（ｘ軸方向）の拡散度合いは、スクリーン１３の上部、中央部、下部のいずれの部位においても、前面方向よりも左右方向に大きく拡散されている。これは、例えば、拡散板Ｄｉｆの拡散剤の配合調整により行なわれ、スクリーン１３の左右方向からの視覚依存性を改善している。
【００４７】
前記説明したようにスクリーン１３における投写光Ｌの拡散度合いを調整することにより、図５（ａ）のスクリーン１３と略正対する位置に視点がある観察者Ｍの場合、拡散範囲Ｃｅｎ、拡散範囲Ｔｏｐ、拡散範囲Ｄｏｗ内の矢印で示された拡散光を観察することとなる。
同様に、図５（ｂ）のスクリーン１３を少し見上げるような位置に視点がある観察者Ｍの場合、拡散範囲Ｃｅｎ、拡散範囲Ｔｏｐ、拡散範囲Ｄｏｗ内の矢印で示された拡散光を観察することとなる。
このように、観察者がスクリーン１３の前方にいる場合、観察者がどこにいたとしても、前方方向への大きな拡散により、視覚依存性を改善することができる。
なお、投写光Ｌの反射角度の調整は、入射面Ｉｎおよび反射面Ｒｅを曲面とすることによって行っても良い。また、いずれか一方を曲面とする構成であっても良い。また、前記入射面Ｉｎまたは反射面Ｒｅの角度調整と組み合わせて行うことであっても良い。
なお、ここでは、スクリーン１３を用いて説明したが、同一のプリズムアレイ５を備えたスクリーン１４（図４）においても同様に構成することができる。
【００４８】
上述した通り、本実施形態によれば以下の効果が得られる。
（１）反射プリズム１の反射面Ｒｅで反射された部分投写光が表す反転した部分画像は、反転部であるレンズ３により再度反転されることから、当該部分画像は、反射面Ｒｅに入射する前の正方向の部分画像として表示面Ｓｆに写し出される。
よって、本発明のスクリーン１３および１４によれば、複数の反射面Ｒｅにより画像が分断されても、反射面Ｒｅとレンズ３とによる２回の画像反転により、部分画像は正方向に整えられることから、連続する部分画像間に異なる画像が入り込むことはない。
従って、連続性のある滑らかな画像が得られる透過式のスクリーン１３および１４を提供することができる。
【００４９】
（２）反転部は、それぞれ対となる反射プリズム１と表示面Ｓｆとの間に設けられたレンズ３であることから、反射プリズム１の反射面Ｒｅによる反射で反転した部分投写光は、レンズ３の屈折により再度反転され、正方向の部分画像として表示面Ｓｆに写し出される。
従って、連続性のある滑らかな画像が得られる透過式のスクリーン１３および１４を提供することができる。
【００５０】
（３）表示面Ｓｆには、集光レンズ４またはレンズ３から出射される部分投写光を拡散する拡散板Ｄｉｆがさらに設けられていることから、入射された部分投写光が、それぞれ拡散板Ｄｉｆにより拡散され、連続性があり明るさが均一な画像が表示面Ｓｆに写し出される。
従って、連続性のある滑らかな画像が得られる透過式のスクリーン１３および１４を提供することができる。
【００５１】
（４）プリズムアレイ５と、拡散板Ｄｉｆとの間には、表示面Ｓｆからの外光を遮断し、部分投写光を通過させる複数の開口部を有する遮光マスクである遮光板Ｓｈがさらに設けられていることから、表示面Ｓｆから入射する外光は遮光板Ｓｈにより吸収され、画像のコントラストの低下を抑制することができる。
従って、メリハリのあるくっきりとした画像が得られる透過式のスクリーン１３および１４を提供することができる。
【００５２】
（５）反射プリズム１の入射面Ｉｎ、または、反射面Ｒｅは、曲面を含んで構成することも可能なことから、曲面の曲率を調整することにより部分投写光を集光または拡散することができる。
よって、スクリーンの表示面Ｓｆから放射される投写光を、観察者の視点の方向に差し向ける、あるいは、集光させることもできる。
従って、明るく見易い画像を写し出す透過式スクリーン１３および１４を提供することができる。
【００５３】
（６）リアプロジェクタ１００のスクリーン１３面からの垂線に対する光軸の入射角度θは、所定の鋭角をなしていることから、ミラー１２をスクリーンに対して略平行に設置することが可能となり、奥行きＴｈを薄く構成することができる。
さらに、リアプロジェクタ１００は、投写光の入射角度θが鋭角であっても連続性のある滑らかな画像が得られる透過式のスクリーン１３または１４を備えている。
従って、連続性のある滑らかな画像が得られる薄型のリアプロジェクタ１００を提供することができる。
【００５４】
（７）投写表示装置１１の回路部７０には、画像の画面形状を変えずに解像度を調整するスケーリング機能に加えて、スクリーンへの投写光の入射角度が鋭角（「あおり角」ともいう）であることに起因する投写画像の台形歪みを補正するための台形補正処理を含む画像処理を行う画像処理部が含まれている。
従って、投写光の入射角度が鋭角であっても、矩形状のスクリーンに合致した歪みのない画像を投写することができるリアプロジェクタ１００を提供することができる。
【００５５】
（実施形態２）
《第２のスクリーンの概略構成》
図６は、本発明の実施形態２における第２のスクリーンの概略構成図である。
第２のスクリーン１５は、リアプロジェクタ１００のスクリーンとして好適な構成を有するスクリーンである。ここでは、図６を用いてスクリーン１５の概略構成について説明する。
なお、実施形態１のスクリーン１３と同一の構成部位については同一の番号を附し、重複する説明は省略する。
【００５６】
スクリーン１５は、複数の反射プリズム８、拡散板Ｄｉｆ、遮光板Ｓｈなどから構成されている。
反射部としての反射プリズム８は、光学用の透明合成樹脂により構成され、入射面Ｉｎと、第１反射面である反射面Ｒｅと、第２反射面である反射面７とを備えている。光学用の透明合成樹脂としては、実施形態１で説明した各樹脂を使用することができるが、ここでは好適な事例としてアクリル樹脂を採用している。
入射面Ｉｎは、投写光Ｌに対して所定の角度をなして設けられた平面であり、入射された投写光Ｌを屈折した後、反射面Ｒｅに導く。
反射面Ｒｅは、入射面Ｉｎから入射された投写光Ｌが臨界角を越えるように設定された平面であり、入射する投写光Ｌを反射面７側に反射する。また、アルミニウムや、誘電体多層膜層等の高反射性の薄膜層を設けることにより全反射面とする構成であっても良い。
反転部である反射面７は、反射面Ｒｅから反射される投写光Ｌが臨界角を越えるように設定された平面であり、入射する投写光Ｌを拡散板Ｄｉｆに反射する。また、アルミニウムや、誘電体多層膜等の高反射性の薄膜層を設けることにより全反射面とする構成であっても良い。
【００５７】
入射面Ｉｎから入射角度θをなして入射した投写光Ｌは、入射面Ｉｎの界面で屈折した後、反射面Ｒｅにて反射面７側に反射され、反射面７にて再度反射した後、拡散板Ｄｉｆに略垂直に入射する。
ここで、反射面Ｒｅから拡散板Ｄｉｆまでの間における連続する画素ａ，画素ｂが表す画像の態様について説明する。
画素ａが表す画像は、画像ａ１と、画像ａ２とに分割されて、それぞれの対応する反射面Ｒｅで反射される。このとき、画像ａ２は、隣接する画素ｂの画像ｂ１と一緒に反射されるため、反射面Ｒｅで反射された後の画像は反転され、上方に画像ａ２、下方に画像ｂ１という順番となっている。
上方に画像ａ２、下方に画像ｂ１という順番となった部分投写光は、反射面７での反射により再度反転されて拡散板Ｄｉｆに入射する。
【００５８】
表示面Ｓｆを構成する拡散板Ｄｉｆは、アクリル樹脂などの透明基材に光拡散剤を一様に分散して構成されたシート状の部材であり、入射される部分投写光を表示面Ｓｆの一定の範囲に拡散させる。なお、部分投写光が拡散される一定の範囲は、表示面Ｓｆに表示される画像における当該部分投写光に相当する画素に応じた大きさ程度である。
このようにして表示面Ｓｆに表示される画像は、下方から画像ａ１、画像ａ２、画像ｂ１、画像ｂ２となり、背面Ｓｂに入射する前の部分投写光の順番通りの連続した画像となる。
また、複数の反射プリズム８と、拡散板Ｄｉｆとの間には、複数の部分投写光が通過する部分を開口部とした遮光板Ｓｈが設けられている。遮光板Ｓｈは、全黒の遮光マスクであり、表示面Ｓｆから入射される外光を吸収する。
【００５９】
《反射プリズムの設計事例》
図７は、第２のスクリーンにおける反射プリズムの一設計態様を示す図である。
ここでは、図７を中心に、適宜図６を交えて第２のスクリーン１５における反射プリズム８の好適な設計事例について説明する。
【００６０】
投写光Ｌは、反射プリズム８の入射面Ｉｎから入射し、反射面Ｒｅにて反射された後、反射面７にて再度反射されてから拡散板Ｄｉｆへ略垂直に入射する。
ここで、反射面７から拡散板Ｄｉｆへの反射角を「β」、反射面Ｒｅから反射面７への反射角を「２β」と設定する。
また、入射面Ｉｎと、反射面Ｒｅとの交点ｐからの鉛直線と、投写光Ｌとの成す角度を「α」と設定する。角度αと、入射角度θとの関係は式（ｈ）で表される。
【００６１】
【数１】
2007163832.tif 000003
前述した通り、入射角度θは、５０〜８０°が好適であることから、対応する角度αは、１０〜４０°となる。
反射プリズム８に要求される光学特性は、角度αが、１０〜４０°の範囲内の投写光Ｌを拡散板Ｄｉｆへ略垂直に入射させることである。
以下、この目的とする光学特性を得るために、交点ｐからの鉛直線と、入射面Ｉｎとが成す角度δを求める。
屈折の法則（「スネルの式」ともいう）により、入射面Ｉｎにおける投写光Ｌの屈折関係は、式（ｉ）で表される。なお、反射プリズム８の屈折率は「ｎ」、空気の屈折率は、１．０とする。
【００６２】
【数２】
2007163832.tif 000004
式（ｉ）を、角度δを求める式に展開すると式（ｊ）となる。
【００６３】
【数３】
2007163832.tif 000005
反射プリズム８の材質をアクリル樹脂として、屈折率ｎ＝１．４９を代入し、式（ｊ）により角度αが１０°のときの角度δを求めると、約「８．１９°」となる。
同様に、角度αが４０°のときの角度δを求めると、約「４３．３３°」となる。
【００６４】
このようにして、好適な入射角度θに対応した反射プリズム８を具現化することができる。また、実施形態１の図５（ａ）、（ｂ）での説明と同様に、スクリーン１５の上部、中央部、下部における反射面７から拡散板Ｄｉｆへの反射角βを調整することにより、視覚依存性を改善することができる。
また、反射角βの調整は、入射面Ｉｎおよび反射面Ｒｅを曲面とすることによって行っても良い。また、いずれか一方を曲面とする構成であっても良い。また、前記入射面Ｉｎまたは反射面Ｒｅの角度調整と組み合わせて行うことであっても良い。
【００６５】
上述した通り、本実施形態によれば実施形態１の該当する効果に加えて以下の効果が得られる。
（１）反転部である反射面７は、第１反射面である反射面Ｒｅが反射した部分投写光を表示面Ｓｆへ向かって反射する第２反射面であることから、反射プリズム８の反射面Ｒｅによる反射で反転した部分投写光は、反射面７により再度反射され、正方向の部分画像として表示面Ｓｆに写し出される。
従って、連続性のある滑らかな画像が得られる透過式のスクリーン１５を提供することができる。
【００６６】
（２）反射プリズム８は、入射面Ｉｎおよび反射面Ｒｅに加えて、反射面７を有することから、反射部および反転部は一体の反射プリズム８として構成されている。
よって、スクリーン１５をシンプルに構成することができる。
従って、シンプルな構成により連続性のある滑らかな画像が得られる透過式のスクリーン１５を提供することができる。
【００６７】
（３）反射プリズム８の入射面Ｉｎ、または反射面Ｒｅ、若しくは反射面７は、曲面を含んで構成することも可能なことから、曲面の曲率を調整することにより部分投写光を屈折、集光または拡散することができる。
よって、スクリーン１５の視覚依存性を改善することができる。
従って、明るく見易い画像を写し出す透過式のスクリーン１５を提供することができる。
【００６８】
（４）スクリーン１５は、投写光の入射角度θが直角より小さい所定の角度であっても連続性のある滑らかな画像が得られることから、リアプロジェクタ１００に好適である。
スクリーン１５を、リアプロジェクタ１００に適応すると、ミラー１２をスクリーン１５に対して略平行に設置することが可能となり、奥行きＴｈを薄く構成することができる。
従って、連続性のある滑らかな画像が得られる薄型のリアプロジェクタ１００を提供することができる。
【００６９】
なお、本発明は上述した実施形態に限定されず、上述した実施形態に種々の変更や改良などを加えることが可能である。変形例を以下に述べる。
【００７０】
（変形例１）
図８は、図３の第１のスクリーン１３の異なる態様を示す図、図９は、集光レンズの一態様を示す図である。
ここでは、図８および図９を中心に、適宜図３を交えてスクリーン１３の異なる形態を有するスクリーン３３、およびスクリーン３３の集光レンズアレイ４６の製造方法について説明する。
スクリーン３３は、プリズムアレイ５、集光レンズアレイ４６、拡散板Ｄｉｆなどを含んで構成されている。スクリーン３３は、集光レンズアレイ４６の構成のみ、第１のスクリーン１３と異なる。
集光レンズアレイ４６は、複数の集光レンズ４１および遮光板Ｓｈとから構成されている。集光レンズ４１は、セル化されたシリンドリカルレンズであり、その機能は、スクリーン１３の集光レンズ４と同一である。また、遮光板Ｓｈの機能も、スクリーン１３の遮光板Ｓｈと同一である。
【００７１】
集光レンズ４１は、それぞれ独立しており、図９に示すようにシリンドリカルレンズを頭部とした釘状に構成されている。集光レンズ４１は、出射成型により容易に製造することができる。また、出射成型に用いる金型には、複数個の集光レンズ４１を面付け可能なため、１回の成型により多数の集光レンズ４１を成型することができる。
遮光板Ｓｈは、拡散板Ｄｉｆに隣接して設けられ、集光レンズ４１の足部４１ｆが挿入される複数の穴が開口している。遮光板Ｓｈは、金属または合成樹脂製の遮光シートをプレス加工、またはエッチング加工することにより容易に製造することができる。
集光レンズアレイ４６は、遮光板Ｓｈの開口部に集光レンズ４１の足部４１ｆを差し込むことにより構成されている。
なお、集光レンズ４１頭部のレンズの平面形状は、四角形に限定するものではなく、遮光板Ｓｈに隙間無く敷き詰めることが可能な形状であれば良く、例えば、六角形であっても良い。
このような構成により、安価で簡便な構成の集光レンズアレイ４６を備えた連続性のある滑らかな画像が得られる透過式のスクリーン３３を提供することができる。
【００７２】
（変形例２）
図２を用いて説明する。前記各実施形態において、投写装置１１は、光変調素子としての各色光用の液晶ライトバルブ６５Ｒ，６５Ｇ，６５Ｂにより画像信号に応じて変調し、再度合成したフルカラーの変調光を投写レンズ６８によりに拡大投写する液晶３板式プロジェクタであるものとして説明したが、これに限定するものではない。
例えば、投写装置１１は、赤、緑、青色のカラーフィルタが規則的に格子状に配置され、１枚でフルカラーの変調光を出射することが可能な単板の液晶ライトバルブを用いる構成であっても良い。また、反射型液晶表示装置や、ティルトミラーデバイスを用いる構成としても良い。なお、例えば、ティルトミラーデバイスを用いる構成の場合、偏光変換素子５３が不要となるなど、光学部５０の構成は、使用する光変調素子に応じて、図２の構成とはそれぞれ異なったものとなる。
また、光変調機能を有するレーザー走査光学系、自発式光変調素子アレーなどを用いた構成の投写装置であっても良い。
これらの構成であっても、前記各実施形態と同様な作用効果を得ることができる。
【図面の簡単な説明】
【００７３】
【図１】実施形態におけるリアプロジェクタの概略構成図。
【図２】投写装置の光学部を中心とした概略構成図。
【図３】実施形態１における第１のスクリーンの中心部近傍の拡大断面図。
【図４】第１のスクリーンの異なる形態の中心部近傍の拡大断面図。
【図５】（ａ）スクリーンにおける第１の明視方向態様の説明図、（ｂ）スクリーンにおける第２の明視方向態様の説明図。
【図６】実施形態２における第２のスクリーンの概略構成図。
【図７】第２のスクリーンにおける反射プリズムの一設計態様を示す図。
【図８】第１のスクリーン１３の異なる態様を示す図。
【図９】集光レンズの一態様を示す図。
【図１０】従来のリアプロジェクタの概略構成を示す側断面図。
【図１１】従来の透過式スクリーンの中心部近傍における拡大断面図。
【符号の説明】
【００７４】
１，８…反射部としての反射プリズム、３…反転部としてのレンズ、４，４１…集光レンズ、５…プリズムアレイ、６，４６…集光レンズアレイ、７…反転部であり第２反射面としての反射面、１１，３１…投写装置、１２…ミラー、１３，１４，１５…スクリーン、５１…光源部としてのランプ、６５Ｒ，６５Ｇ，６５Ｂ…光変調素子としての液晶ライトバルブ、６８…投写部としての投写レンズ、１００…背面投写型表示装置としてのリアプロジェクタ、Ｄｉｆ…拡散層としての拡散板、Ｉｎ…入射面、Ｓｈ…遮光板、Ｓｆ…表示面、Ｓｂ…背面、Ｌ…投写光、Ｌｃ…光軸、Ｒｅ…第１反射面としての反射面、θ…入射角度。
【図１】
2007163832.tif 000006
【図２】
2007163832.tif 000007
【図３】
2007163832.tif 000008
【図４】
2007163832.tif 000009
【図５】
2007163832.tif 000010
【図６】
2007163832.tif 000011
【図７】
2007163832.tif 000012
【図８】
2007163832.tif 000013
【図９】
2007163832.tif 000014
【図１０】
2007163832.tif 000015
【図１１】
2007163832.tif 000016